【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
送信装置であって、
映像データと、その映像データに基づく映像を該送信装置の表示手段によって表示するときに用いられた画質パラメータに係る情報とを外部装置に送信する送信手段
を備えることを特徴とする送信装置。
【請求項２】
前記画質パラメータに係る情報を生成する画質パラメータ生成手段を備え、
前記画質パラメータ生成手段は、前記表示手段によって映像を表示しているときに画質パラメータの値が変更された場合、変更される前の画質パラメータの値と、変更された後の画質パラメータの値とに基づいて前記画質パラメータに係る情報を生成することを特徴とする請求項１記載の送信装置。
【請求項３】
前記画質パラメータには基準値が設定されており、
前記画質パラメータに係る情報は、前記表示手段によって映像を表示するときに用いられた画質パラメータの値と前記基準値との差分に係る情報であることを特徴とする請求項１又は２に記載の送信装置。
【請求項４】
前記画質パラメータに係る情報をＶＧＳｃｏｍｍｏｎとし、
前記用いられた画質パラメータをＶＧＳとし、
前記基準値をＶＧＳＢａｓｅとし、
前記画質パラメータの設定可能な最大値をＶｍａｘとし、
前記画質パラメータの設定可能な最小値をＶｍｉｎとした場合に、
前記画質パラメータに係る情報ＶＧＳｃｏｍｍｏｎは、
ＶＧＳｃｏｍｍｏｎ＝（ＶＧＳ―ＶＧＳＢａｓｅ）／（Ｖｍａｘ−Ｖｍｉｎ）＊１００
で表されることを特徴とする請求項３記載の送信装置。
【請求項５】
前記画質パラメータは、色相、明度、彩度、シャープネス、又はノイズ除去に係るパラメータであることを特徴とする請求項１〜４のいずれか１項に記載の送信装置。
【請求項６】
送信装置から映像データを受信する映像表示装置であって、
映像データと、その映像データに基づく映像を前記送信装置の表示手段によって表示するときに用いられた画質パラメータに係る情報とを受信する受信手段と、
前記画質パラメータに係る情報に基づいて画質パラメータを設定する画質パラメータ反映手段と、
前記画質パラメータ反映手段によって設定された画質パラメータを用いて、前記映像データに基づく映像を表示する映像表示手段と
を備えることを特徴とする映像表示装置。
【請求項７】
前記映像表示手段が用いる画質パラメータには基準値が設定されており、
前記画質パラメータ反映手段は、前記画質パラメータに係る情報と記基準値とを用いて前記画質パラメータを設定することを特徴とする請求項６記載の映像表示装置。
【請求項８】
前記画質パラメータ反映手段によって設定する画質パラメータをＶＧＳｔａｒｇｅｔとし、
前記基準値をＶｂａｓｅとし、
前記画質パラメータに係る情報をＶＧＳｃｏｍｍｏｎとし、
前記画質パラメータの設定可能な最大値をＶｍａｘとし、
前記画質パラメータの設定可能な最小値をＶｍｉｎとした場合に、
前記画質パラメータ反映手段によって設定する画質パラメータＶＧＳｔａｒｇｅｔは、
ＶＧＳｔａｒｇｅｔ＝Ｖｂａｓｅ＋（ＶＧＳｃｏｍｍｏｎ）＊（Ｖｍａｘ−Ｖｍｉｎ）／２００
で表されることを特徴とする請求項７記載の映像表示装置。
【請求項９】
前記画質パラメータは、色相、明度、彩度、シャープネス、又はノイズ除去に係るパラメータであることを特徴とする請求項６〜８のいずれか１項に記載の映像表示装置。
【請求項１０】
送信装置において実行する送信方法であって、
映像データと、その映像データに基づく映像を前記送信装置の表示手段によって表示するときに用いられた画質パラメータに係る情報とを外部装置に送信する送信工程
を有することを特徴とする送信方法。
【請求項１１】
送信装置から映像データを受信する映像表示装置において実行する映像表示方法であって、
映像データと、その映像データに基づく映像を前記送信装置の表示手段によって表示するときに用いられた画質パラメータに係る情報とを受信する受信工程と、
前記画質パラメータに係る情報に基づいて画質パラメータを設定する画質パラメータ反映工程と、
前記画質パラメータ反映工程によって設定された画質パラメータを用いて、前記映像データに基づく映像を表示する映像表示工程と
を有することを特徴とする映像表示方法。
【請求項１２】
コンピュータを、請求項１記載の送信装置の送信手段として機能させることを特徴とするプログラム。
【請求項１３】
コンピュータを、請求項６記載の映像表示装置の受信手段及び画質パラメータ反映手段として機能させることを特徴とするプログラム。
【手続補正２】
【補正対象書類名】明細書
【補正対象項目名】発明の名称
【補正方法】変更
【補正の内容】
【発明の名称】送信装置、映像表示装置、送信方法、映像表示方法、及びプログラム
【手続補正３】
【補正対象書類名】明細書
【補正対象項目名】０００８
【補正方法】変更
【補正の内容】
【０００８】
上述の問題点を解決するため、本発明の送信装置は以下の構成を有する。すなわち、送信装置であって、映像データと、その映像データに基づく映像を該送信装置の表示手段によって表示するときに用いられた画質パラメータに係る情報とを外部装置に送信する送信手段を備える。
【手続補正４】
【補正対象書類名】明細書
【補正対象項目名】０００９
【補正方法】変更
【補正の内容】
【０００９】
更に、本発明の映像表示装置は以下の構成を有する。すなわち、送信装置から映像データを受信する映像表示装置であって、映像データと、その映像データに基づく映像を前記送信装置の表示手段によって表示するときに用いられた画質パラメータに係る情報とを受信する受信手段と、前記画質パラメータに係る情報に基づいて画質パラメータを設定する画質パラメータ反映手段と、前記画質パラメータ反映手段によって設定された画質パラメータを用いて、前記映像データに基づく映像を表示する映像表示手段とを備える。
【手続補正５】
【補正対象書類名】明細書
【補正対象項目名】００２５
【補正方法】変更
【補正の内容】
【００２５】
Ｓ５０２では、新たな画質パラメータ種別Ｇを選択する。ここでは、行４０４に相当する“色相＿赤”が選択されたとして以降の処理を説明する。Ｓ５０３では、映像データＳに対する画質パラメータ種別Ｇの画質パラメータＶが記憶されているか否かを判定する。ここで、もし既に記憶済みであると判定した場合にはＳ５０３の処理に進み、Ｓに対するＧの画質パラメータＶが記憶されていないと判定した場合にはＳ５０５の処理に進む。Ｓ５０４では、映像データＳに対する画質パラメータ種別Ｇの画質パラメータ設定基準値ＶＧＳＢａｓｅおよび設定値ＶＧＳを取り出す。行４０４の例では、ＶＧＳＢａｓｅとして５０が、ＶＧＳとして５５が取り出される。Ｓ５０５では、映像データＳに対する画質パラメータ種別Ｇの適用値ＶＧＳｃｏｍｍｏｎを算出し、記憶する。ここでのＶＧＳｃｏｍｍｏｎの算出結果としては、例えば画質パラメータ設定基準値ＶＧＳＢａｓｅに対する差分を百分率で表現しても良い。すなわち基準値からの増減を示す割合を表現する。より具体的には、図６に示すように、各画質パラメータ種別Ｇに対する映像送信装置上で設定可能な最小値および最大値を保持しておき、設定可能な最大値もしくは最小値に対する設定の割合を算出する。一例として、映像データＳに対する画質パラメータ種別Ｇの適用値ＶＧＳｃｏｍｍｏｎが、映像データＳに対する画質パラメータ種別の設定値ＶＧＳに対して線形に算出するとした式は以下のように示される。